(57)【要約】      （修正有）【課題】画像の送信・確認処理において利便性を向上させる。【解決手段】センサーユニット１０は、各種センサーにより取得されたセンサー情報がユーザが設定した撮影要因に一致すると、リモートコントローラ２０にシャッタートリガーを送信する。リモートコントローラ２０は、このシャッタートリガーを受信すると、デジタルカメラ３０に送信する。デジタルカメラ３０は、インターバル撮影モードの実行中に、このシャッタートリガーを受信すると、インターバル撮影モードによる動作を継続しつつ、このシャッタートリガーの受信による静止画又は短時間動画を記録し、未送信画像として記憶する。そしてインターバル撮影モードの終了後、デジタルカメラ３０は、未送信画像を携帯無線通信端末４０に一斉送信する。但し、インターバル撮影モードによる記録指示に起因して記録された画像ファイルは転送しない。【選択図】図１
2018207459.tif 000002
【特許請求の範囲】
【請求項１】
撮像手段から出力される所定の時間間隔の画像の記録動作を行わせる記録モードで動作中に、前記所定の時間間隔以外のタイミングで記録指示信号を検出すると、当該記録モードを維持した状態で前記所定の時間間隔以外のタイミングの画像の記録動作を行わせるよう制御する制御手段と、
前記記録モードによって記録された画像は自動的に送信することなく、前記制御手段によって記録された画像を自動的に当該装置外部へ送信するよう制御する自動送信制御手段と、
を備えることを特徴とする画像送信制御装置。
【請求項２】
前記制御手段は、前記所定の時間間隔以外のタイミングで前記記録指示信号を検出することにより記録された画像に当該装置外部への送信を指示する情報を対応付け、
前記自動送信制御手段は、前記記録モードでの動作中でないタイミングで、前記情報が対応付けられた画像を自動的に送信する、
ことを特徴とする請求項１に記載の画像送信制御装置。
【請求項３】
前記記録指示信号は、当該装置外部から無線により受信される、
ことを特徴とする請求項１に記載の画像送信制御装置。
【請求項４】
前記所定の時間間隔以外のタイミングには、外部環境を取得する外部装置によって取得された外部環境が特定の条件を満たした時点が含まれ、
前記記録指示信号は、前記外部装置から送信されることを特徴とする請求項１に記載の画像送信制御装置。
【請求項５】
前記記録指示信号は、前記特定の条件を含むことを特徴とする請求項４に記載の画像送信制御装置。
【請求項６】
撮像装置と外部装置とから構成される画像送信システムであって、
前記外部装置は、
外部環境が特定の条件を満たす場合に出力される記録指示信号を入力する入力手段と、
前記撮像装置から出力される所定の時間間隔の画像の記録動作を行わせる記録モードで動作中に、前記所定の時間間隔以外のタイミングで前記入力手段による記録指示信号の入力を検出すると、当該記録モードを維持した状態で前記所定の時間間隔以外のタイミングの画像の記録動作を行わせるよう制御する制御手段と、
前記記録モードによって記録された画像は自動的に送信することなく、前記制御手段によって記録された画像を自動的に当該装置外部へ送信するよう制御する自動送信制御手段と、
を備えることを特徴とする画像送信システム。
【請求項７】
前記制御手段は、前記所定の時間間隔以外のタイミングで前記記録指示信号の入力を検出することにより記録された画像に、当該装置外部への送信を指示する情報を対応付け、
前記自動送信制御手段は、前記記録モードでの動作中でないタイミングで、前記情報が対応付けられた画像を送信する、
ことを特徴とする請求項６に記載の画像送信システム。
【請求項８】
前記記録指示信号は、前記特定の条件を含む、
ことを特徴とする請求項６に記載の画像送信システム。
【請求項９】
撮像手段に対し所定の時間間隔で記録動作を行わせる記録モードで動作中に、前記所定の時間間隔以外のタイミングで記録指示信号を検出すると、当該記録モードを維持した状態で前記所定の時間間隔以外のタイミングの画像の記録動作を行わせるよう制御する制御ステップと、
前記記録モードによって記録された画像は自動的に送信することなく、前記制御ステップにて記録された画像を自動的に当該装置外部へ送信するよう制御する自動送信制御ステップと、
を含むことを特徴とする画像送信制御方法。
【請求項１０】
コンピュータを、
撮像装置に対し所定の時間間隔で記録動作を行わせる記録モードで動作中に、前記所定の時間間隔以外のタイミングで記録指示信号を検出すると、当該記録モードを維持した状態で前記所定の時間間隔以外のタイミングの画像の記録動作を行わせるよう制御する制御機能、
前記記録モードによって記録された画像は自動的に送信することなく、前記制御機能によって記録された画像を自動的に当該装置外部へ送信するよう制御する自動送信制御機能、
として実現させるためのプログラム。
【発明の詳細な説明】
【技術分野】
【０００１】
本発明は、画像送信制御装置、画像送信システム、画像送信制御方法、及びプログラムに関する。
【背景技術】
【０００２】
従来、デジタルカメラを使用してユーザが所望の画像を撮影すると、撮影指示を契機に撮影した画像を直ちにインターネット上のサーバコンピュータに送信されるという技術が記載されている（例えば特許文献１参照）。
【先行技術文献】
【特許文献】
【０００３】
【特許文献１】特開２００２−３４２４６５号公報
【発明の概要】
【発明が解決しようとする課題】
【０００４】
しかしながら、上記の撮影において得られる画像は、撮影後に直ちに送信し確認する必要がないものもある。つまり、全ての撮影画像について直ちに送信するようにすると返って送信処理が負担になるという問題があった。
【０００５】
そこで本発明は、画像の送信・確認処理において利便性を向上させることを目的とする。
【課題を解決するための手段】
【０００６】
この発明に係る画像送信制御装置は、撮像手段から出力される所定の時間間隔の画像の記録動作を行わせる記録モードで動作中に、前記所定の時間間隔以外のタイミングで記録指示信号を検出すると、当該記録モードを維持した状態で前記所定の時間間隔以外のタイミングの画像の記録動作を行わせるよう制御する制御手段と、前記記録モードによって記録された画像は自動的に送信することなく、前記制御手段によって記録された画像を自動的に当該装置外部へ送信するよう制御する自動送信制御手段と、を備えることを特徴とする。
【０００７】
この発明に係る画像送信システムは、撮像装置と外部装置とから構成される画像送信システムであって、前記外部装置は、外部環境が特定の条件を満たす場合に出力される記録指示信号を入力する入力手段と、前記撮像装置から出力される所定の時間間隔の画像の記録動作を行わせる記録モードで動作中に、前記所定の時間間隔以外のタイミングで前記入力手段による記録指示信号の入力を検出すると、当該記録モードを維持した状態で前記所定の時間間隔以外のタイミングの画像の記録動作を行わせるよう制御する制御手段と、前記記録モードによって記録された画像は自動的に送信することなく、前記制御手段によって記録された画像を自動的に当該装置外部へ送信するよう制御する自動送信制御手段と、を備えることを特徴とする。
【０００８】
この発明に係る画像送信制御方法は、撮像手段に対し所定の時間間隔で記録動作を行わせる記録モードで動作中に、前記所定の時間間隔以外のタイミングで記録指示信号を検出すると、当該記録モードを維持した状態で前記所定の時間間隔以外のタイミングの画像の記録動作を行わせるよう制御する制御ステップと、前記記録モードによって記録された画像は自動的に送信することなく、前記制御ステップにて記録された画像を自動的に当該装置外部へ送信するよう制御する自動送信制御ステップと、を含むことを特徴とする。
【０００９】
この発明に係るプログラムは、コンピュータを、撮像装置に対し所定の時間間隔で記録動作を行わせる記録モードで動作中に、前記所定の時間間隔以外のタイミングで記録指示信号を検出すると、当該記録モードを維持した状態で前記所定の時間間隔以外のタイミングの画像の記録動作を行わせるよう制御する制御機能、前記記録モードによって記録された画像は自動的に送信することなく、前記制御機能によって記録された画像を自動的に当該装置外部へ送信するよう制御する自動送信制御機能、として実現させることを特徴とする。
【発明の効果】
【００１０】
この発明によれば、画像の送信・確認処理において利便性を向上させることができるという利点が得られる。
【図面の簡単な説明】
【００１１】
【図１】本発明の実施形態による画像送信システムの構成を示すブロック図である。
【図２】本実施形態によるセンサーユニット１０の構成を示すブロック図である。
【図３】本実施形態によるリモートコントローラ２０の構成を示すブロック図である。
【図４】本実施形態によるデジタルカメラ３０の構成を示すブロック図である。
【図５】本実施形態によるセンサーユニット１０で設定可能な撮影要因の一例を示す概念図である。
【図６】本実施形態によるセンサーユニット１０の動作を説明するためのフローチャートである。
【図７】本実施形態によるリモートコントローラ２０の動作を説明するためのフローチャートである。
【図８】本実施形態によるデジタルカメラ３０の動作を説明するためのフローチャートである。
【発明を実施するための形態】
【００１２】
以下、本発明の実施の形態を、図面を参照して説明する。
【００１３】
Ａ．実施形態の構成
図１は、本発明の実施形態による画像送信システムの構成を示すブロック図である。図において、センサーユニット１０は、ユーザの身体や着衣などに着脱可能な携帯型の装置であり、ユーザの生体情報（脈拍、血圧、体温、活動量等）や、地理情報（ＧＰＳ等によって測位された位置情報）、外部環境情報（高度、気圧、気温）、３軸加速度センサー、ジャイロセンサー等で検出されたデータに基づく衝撃・移動などをセンサー情報として逐次取得する、センサーユニット１０を携行する計測対象者（物）の活動量計として機能する。
【００１４】
また、センサーユニット１０は、リモートコントローラ２０や携帯無線通信機器４０との間でそれぞれが利用可能な無線通信１００（Ｂｌｕｅｔｏｏｔｈ（登録商標）や、ＷｉＦｉ（登録商標）などの無線ＬＡＮなど）を用いて、所定のタイミングでペアリングを構築し、ユーザの移動（動き）や外部環境などのセンサー情報が、予め設定された所定の撮影条件（撮影要因）を満たすと、デジタルカメラ３０に対する記録指示（静止画又は短時間動画）を、リモートコントローラ２０に送信する。
【００１５】
リモートコントローラ２０は、デジタルカメラ３０との間で無線通信１０１（例えばＢｌｕｅｔｏｏｔｈ（登録商標）や、ＷｉＦｉ（登録商標）などの無線ＬＡＮなど）を用いて、所定のタイミングでペアリングを構築し、センサーユニット１０から記録指示（静止画又は短時間動画）を受信すると、デジタルカメラ３０にシャッタートリガーを送信する。リモートコントローラ２０は、デジタルカメラ３０と着脱可能となっており、一体として使用することも、分離して使用することも可能である。リモートコントローラ２０は、専用の端末に限らず、例えば、スマートフォンや、タブレット端末などでも代用可能である。但し、この場合、当然、常時、分離した状態で使用することになる。
【００１６】
デジタルカメラ３０は、リモートコントローラ２０との間で無線通信（例えばＢｌｕｅｔｏｏｔｈ（登録商標）や、ＷｉＦｉ（登録商標）などの無線ＬＡＮなど）を用いて、所定のタイミングでペアリングを構築する。デジタルカメラ３０は、リモートコントローラ２０との接続が休止又は省電力状態（Ｂｌｕｅｔｏｏｔｈ（登録商標）におけるSniffモード）であっても、単独でインターバル撮影が可能である。インターバル撮影とは、所定の時間間隔で、所定の時間、静止画又は短時間動画を記録することを意味する。
【００１７】
デジタルカメラ３０は、インターバル撮影モード（記録モード）の実行中に、リモートコントローラ２０から任意のタイミングでシャッタートリガーを受信すると、インターバル撮影モードの実行を継続しつつ（具体的には、所定の時間間隔で到来する記録指示を検出する度に静止画若しくは短時間動画を自動的に記録する処理を繰返し行う。）、これとは独立して上記シャッタートリガーに応じて静止画又は短時間動画を記録する。このとき、デジタルカメラ３０は、発生条件（前記センサーユニット１０にて取得された各種データに対応する撮影要因のコード）をＥＸＩＦに書き込み、未送信画像として記憶し、インターバル撮影モードは継続する。そしてインターバル撮影モードが終了すると、デジタルカメラ３０は、上記未送信画像として記憶管理していた画像ファイルをリモートコントローラ２０に一斉送信する。但し、インターバル撮影モードによって記録された画像ファイルは転送しない。
【００１８】
携帯無線通信機器４０は、スマートフォンやタブレット端末等に代表される機器であり、外部サーバーと既存のワイヤレスネットワークを介して、メッセージサービス、メディアコンテンツのダウンロードサービス等、各種情報サービスを受けることができる。
【００１９】
本実施の形態においては、ＷｉＦｉ（登録商標）などの無線ＬＡＮ等の無線通信１０３、１０４を利用して、センサーユニット１０やデジタルカメラ３０と接続し、予めインストールされた対応するアプリケーションショフトを実行させる。
センサーユニット１０との接続の際は接続制御を行い、撮影要因を含む各種センサー情報を逐次受信し、当該機器のメモリにおける、上記アプリケーションソフトで管理される記憶領域に蓄積する。
【００２０】
また、デジタルカメラ３０との接続の際は記録画像の画像ファイル（又は当該撮像画像を所定サイズまで情報量を減らした解像度を落とした画像ファイル）を対応するアプリケーションソフトの実行内容とユーザの操作とに基づいて受信し、当該機器のメモリにおける、上記アプリケーションソフトで管理される記憶領域に蓄積する。
【００２１】
さらに、本実施形態に係る通信制御として、デジタルカメラ３０は、このインターバル撮影モードの実行制御の元で記録された画像の画像ファイルは、インターバル撮影モード実行中は携帯無線通信機器４０に送信しない。一方インターバル撮影モード実行中にセンサーユニット１０から送信されたセンサー情報（撮影要因）に起因して記録された画像の画像ファイル（上記未送信画像として記憶管理されている画像ファイル）は、インターバル撮影のモード終了を契機として携帯無線通信機器４０に送信される。
【００２２】
図２は、本実施形態によるセンサーユニット１０の構成を示すブロック図である。図２において、センサーユニット１０は、通信部１１、ＲＯＭ１２、各種センサー１３、ＲＡＭ１４、操作部１５、及び制御部１６を備えている。通信部１１は、無線通信（例えばＢｌｕｅｔｏｏｔｈ（登録商標）や、ＷｉＦｉ（登録商標）などの無線ＬＡＮなど）などの無線技術を用いて、リモートコントローラ２０や携帯無線通信機器４０との間で無線通信を確立し、データの送受信を行う。なお、本実施形態では、センサーユニット１０とリモートコントローラ２０とは、Ｂｌｕｅｔｏｏｔｈ（登録商標）による無線通信１００で接続され、この場合、センサーユニット１０はスレーブ、一方、リモートコントローラ２０はマスターとして動作する。一方、センサーユニット１０と携帯無線通信機器４０とは、Ｂｌｕｅｔｏｏｔｈ（登録商標）  Ｌｏｗ  Ｅｎｅｒｇｙ、及び、ＷｉＦｉ無線通信１０３で接続され、対応するアプリケーションソフトによる制御の元、センサー情報等々を送信する。
【００２３】
なお、通信方式としては、上記の他、無線ＬＡＮ（Ｌｏｃａｌ  Ａｒｅａ  Ｎｅｔｗｏｒｋ）や、ＮＦＣ（Ｎｅａｒ  Ｆｉｅｌｄ  Ｃｏｍｍｕｎｉｃａｔｉｏｎ：近接無線通信）、ＡＮＴ等であってもよい。
【００２４】
ＲＯＭ１２は、後述する制御部１６によって実行されるプログラムや、このプログラムの実行に伴って必要とされるパラメータのデフォルト値などを記憶する。各種センサー１３は、ＧＰＳセンサー、モーションセンサー、心拍センサー、外部環境を取得するセンサーなどからなり、所定の時間間隔でセンサー情報を出力する。
【００２５】
ＲＡＭ１４は、後述する制御部１６がプログラムを実行した際のワーキングメモリとして使用されるとともに、制御部１６により実行されるプログラムや動作等に必要とされる各種パラメータなどを記憶する。特に、本実施形態では、ＲＡＭ１４は、ペアリングを構築しているリモートコントローラ２０や携帯無線通信機器４０に関する接続情報を記憶する接続情報メモリ１４１、及び各種センサー１３により検出されたセンサー情報を記憶するセンサー情報メモリ１４２、及び、ユーザが携帯無線通信機器４０を操作し、対応するアプリケーションソフトを動作させて設定・リモートコントローラ２０へ送信した撮影要因情報を記憶する撮影要因情報メモリ１４３の各記憶領域を備える。操作部１５は、電源オンオフキーや、表示切替キー等の複数のメカニカル操作キーによる操作を検出し、ユーザのキー操作に応じた操作信号を出力する。
【００２６】
制御部１６は、上述したＲＯＭ１２に記憶されているプログラムを実行することで、また、携帯無線通信機器４０からの制御を受けることで、各部の動作を制御する。特に、本実施形態では、制御部１６は、各種センサー１３により検出されたセンサー情報を随時、導出（演算）し、センサー情報メモリ１４２にログ（履歴）として保存する。
【００２７】
制御部１６は、センサー情報メモリ１４２に逐次保存されていくセンサー情報と、ユーザにより予め設定されて撮影要因情報メモリ１４３に記憶された撮影要因情報とを比較照合し、照合した結果、これらセンサー情報のうち撮影要因情報と一致するものが記憶されると、発生条件（撮影要因）と記録条件（静止画記録指示ｏｒ短時間動画記録指示）を、通信部１１を制御してリモートコントローラ２０に送信する。
【００２８】
図３は、本実施形態によるリモートコントローラ２０の構成を示すブロック図である。図３において、リモートコントローラ２０は、通信部（Ｂｌｕｅｔｏｏｔｈ（登録商標）、ＷｉＦｉ（登録商標）などの無線ＬＡＮ）２１、ＲＯＭ２２、ＲＡＭ２３、表示部２４、操作部（タッチパネル）２５、及び制御部２６を備えている。
【００２９】
通信部２１は、無線通信（例えばＢｌｕｅｔｏｏｔｈ（登録商標）や、ＷｉＦｉ（登録商標）などの無線ＬＡＮなど）などの無線技術を用いて、リモートコントローラ２０とセンサーユニット１０、及び、デジタルカメラ３０との間で無線通信を確立し、データの送受信を行う。
【００３０】
ＲＯＭ２２は、後述する制御部２６により実行されるプログラムや動作等に必要とされる各種パラメータなどを記憶している。ＲＡＭ２３は、後述する制御部２６がプログラムを実行した際の一時的なデータを記憶する。
【００３１】
表示部２４は、液晶表示器や有機ＥＬ（Ｅｌｅｃｔｒｏ  Ｌｕｍｉｎｅｓｃｅｎｃｅ）表示器などからなり、特定の機能やアプリケーションなどに紐付けられているアイコンや、アプリケーション画面、各種のメニュー画面、デジタルカメラ３０からのライブビュー画像、デジタルカメラ３０から送信されＲＡＭ３５に一時保存された画像ファイルに基づく画像などを表示する。操作部（タッチパネル）２５は、指やスタイラス（ペン）などの直接接触、あるいは、近接を検出する。なお、操作部（タッチパネル）２５には、電源ボタンや音量ボタンなどの機械的なスイッチ類が含まれてもよい。
【００３２】
制御部２６は、上述したＲＯＭ２２に記憶されているプログラムを実行することで各部の動作を制御する。制御部２６は、撮影モード（静止画撮影モード、動画撮影モード、インターバル撮影モード）の実行指示や、撮影パラメータ（露出、絞り、シャッター速度など）、ユーザによる記録指示操作（シャッター操作）による記録指示、撮像画像の画像ファイルの携帯無線通信機器４０への転送指示などをデジタルカメラ３０へ送信するよう通信部２１を制御する。また、制御部２６は、デジタルカメラ３０からのライブビュー画像を受信して表示部２４に表示する。
【００３３】
なお、本実施形態では、リモートコントローラ２０は、センサーユニット１０とデジタルカメラ３０との間の中継装置として機能する。すなわち、制御部２６は、デジタルカメラ３０がインターバル撮影モード実行中に任意のタイミングでセンサーユニット１０から発生条件（撮影要因）と記録条件（静止画記録指示ｏｒ短時間動画記録指示）を受信すると、シャッタートリガーとして、発生条件（撮影要因）及び記録条件（静止画記録指示ｏｒ短時間動画記録指示）をデジタルカメラ３０に送信するよう通信部２１を制御する。
【００３４】
図４は、本実施形態によるデジタルカメラ３０の構成を示すブロック図である。図４において、デジタルカメラ３０は、通信部３１、操作部３２、撮像部３３、ＲＯＭ３４、ＲＡＭ３５、記録媒体３６、及び制御部３７を備えている。通信部３１は、無線通信（例えばＢｌｕｅｔｏｏｔｈ（登録商標）や、ＷｉＦｉ（登録商標）などの無線ＬＡＮなど）などの無線技術を用いて、リモートコントローラ２０との間で無線通信を確立し、データの送受信を行う。なお、本実施形態では、リモートコントローラ２０はマスター、デジタルカメラ３０はスレーブとして動作する。
【００３５】
操作部３２は、電源スイッチ、シャッタースイッチ、ズームスイッチ、モードキー、ＳＥＴキー、十字キー等の複数の操作キーを含み、ユーザのキー操作に応じた操作信号を出力する。撮像部３３は、光学レンズ群からなるレンズブロックと、ＣＣＤや、ＣＭＯＳなどの撮像素子からなり、レンズブロックから入った画像を撮像素子によりデジタル信号に変換して出力する。
【００３６】
ＲＯＭ３４は、後述する制御部３７により実行されるプログラムや動作等に必要とされる各種パラメータなどを記憶している。ＲＡＭ３５は、撮像部３３によって撮像された画像ファイルを一時記憶するバッファメモリとして使用されるとともに、制御部３７のワーキングメモリとして使用される。記録媒体３６は、撮像された画像ファイルなどを保存する。
【００３７】
制御部３７は、上述したＲＯＭ３４に記憶されているプログラムを実行することで各部の動作を制御する。特に、本実施形態では、制御部３７は、リモートコントローラ２０からの、撮影モード（静止画撮影モード、動画撮影モード、インターバル撮影モード）の指示や、撮影パラメータ（露出、絞り、シャッター速度など）、ユーザによる記録指示操作（シャッター操作）による記録指示、画像ファイルの転送指示を受信することによって動作モードを設定したり、記録動作を実行したりする。また、リモートコントローラ２０からの上記の指示を受信することなく、操作部３２への直接的な操作を検出することで撮像画像の記録動作も可能である。
【００３８】
本実施形態では、制御部３７は、所定の時間間隔で、所定の時間、静止画又は短時間動画を記録するインターバル撮影を実行中に、リモートコントローラ２０から任意のタイミングでシャッタートリガーとして、発生条件（撮影要因）及び記録条件（静止画記録指示ｏｒ短時間動画記録指示）を受信すると、インターバル撮影とは別に、上記シャッタートリガーに応じて静止画又は短時間動画を記録し、発生条件（撮影要因のコード）をＥＸＩＦに書き込み、未送信画像として記憶するが、インターバル撮影モードは依然として継続する。制御部３７は、インターバル撮影モードの終了後（Ｓｌｅｅｐ期間に相当）、上記未送信画像として記憶管理していた記録画像に対応する画像ファイルを携帯無線通信機器４０へ一斉送信する。但しこの時、インターバル撮影モードに起因する記録指示によって記録された画像ファイルは転送しない。
【００３９】
なお、本第１実施形態では、デジタルカメラ３０は、表示部を備えていないが、一般的なデジタルカメラのように液晶表示器や有機ＥＬ（Ｅｌｅｃｔｒｏ  Ｌｕｍｉｎｅｓｃｅｎｃｅ）表示器などからなる表示部を備えていてもよい。
【００４０】
図５は、本実施形態によるセンサーユニット１０で設定可能な撮影要因の一例を示す概念図である。本実施形態においては、その撮影要因は、積算回転数、積算上昇高度、積算下降高度、ダンシング、シッティング、回転数×時間、速度×時間、移動距離、高度、カロリー、温度、走行時間、カーブ傾き、慣性走行、歩行時間、歩数、連続走行時間、連続走り時間、乗り物時間、休憩が含まれ、これらの撮影要因は概ね、サイクリングやハイキング等屋外での活動（アウトドアスポーツ）に関連する行動内容に関連している。それぞれの撮影要因は、コード「０ｘ２０」〜「０×３２」によって示される。
【００４１】
ユーザは、上記撮影要因のうち、所望する撮影要因と、撮影条件（撮影要因に対する閾値）と、記録条件とを指定（設定）する。センサーユニット１０は、各種センサー１３により検出されたユーザの移動（動き）や、外部環境に関するセンサー情報を随時、導出（演算）し、上記ＲＡＭ１４のセンサー情報メモリ１４２にログ（履歴）として保存する。センサーユニット１０は、導出（演算）されたセンサー情報が、ユーザによって予め設定された撮影要因情報に一致すると、その都度、発生条件（撮影要因）と記録条件（静止画記録指示ｏｒ短時間動画記録指示）を、通信部１１を制御してリモートコントローラ２０に送信する。
【００４２】
例えば、ユーザが撮影要因として「移動距離」を選択し、撮影条件として２ｋｍ、記録条件として静止画記録指示を設定すると、逐次歩数若しくはペダルの回転数に対応する振動回数をセンサー情報として蓄積する中で、その蓄積の結果、移動距離が２ｋｍに達する度に、発生条件（撮影要因）として「移動距離」と記録条件「静止画記録指示」をリモートコントローラ２０に送信する。デジタルカメラ３０は、インターバル撮影モード実行中、リモートコントローラ２０から移動距離が２ｋｍに達したタイミングで発生する発生条件（撮影要因「移動距離」）及び記録条件（静止画記録指示）を受信すると、インターバル撮影モードにおける画像の取得・記録処理中でなければ、静止画を記録し、発生条件（撮影要因「移動距離」のコード「０ｘ２８」）をＥＸＩＦに書き込み、未送信画像として記憶する。ただし、インターバル撮影モードは依然として継続させる。
【００４３】
あるいは、ユーザが撮影要因として「高度」を選択し、撮影条件として１０００ｍ、記録条件として静止画記録指示を設定すると、逐次気圧計（高度計）からの情報センサー情報として蓄積する中で、その蓄積の結果、高度が１０００ｍに達する度に、発生条件（撮影要因）として「高度」と記録条件「静止画記録指示」をリモートコントローラ２０に送信する。デジタルカメラ３０は、インターバル撮影モード実行中、リモートコントローラ２０から高度が１０００ｍに達したタイミングで、その都度に発生する発生条件（撮影要因「高度」）及び記録条件（静止画記録指示）を受信すると、インターバル撮影モードにおける画像の取得・記録処理中でなければ、静止画を記録し、発生条件（撮影要因「高度」のコード「０ｘ２９」）をＥＸＩＦに書き込み、未送信画像として記憶する。ただし、インターバル撮影モードは依然として継続させる。
【００４４】
あるいは、ユーザが撮影要因として「歩数」を選択し、撮影条件として２０００歩、記録条件として短時間動画記録指示を設定すると、逐次歩数に対応する振動回数をセンサー情報として蓄積する中で、その蓄積の結果、歩数が２０００歩に達する度に、発生条件（撮影要因）として「歩数」と記録条件「短時間動画記録指示」をリモートコントローラ２０に送信する。デジタルカメラ３０は、インターバル撮影モード実行中、リモートコントローラ２０から歩数が２０００歩に達したタイミングで、その都度に発生する発生条件（撮影要因「歩数」）及び記録条件（短時間動画記録指示）を受信すると、インターバル撮影モードにおける画像の取得・記録処理中でなければ、短時間動画を記録し、発生条件（撮影要因「歩数」のコード「０ｘ３０」）をＥＸＩＦに書き込み、未送信画像として記憶する。ただし、インターバル撮影モードは依然として継続させる。
【００４５】
なお、本実施形態では、ユーザが事前に１つの撮影要因を選択・設定するようにしているが、これに限らず、複数の撮影要因を選択・設定してもよい。
【００４６】
また、デジタルカメラ３０において、リモートコントローラ２０からシャッタートリガー、発生条件（撮影要因）及び記録条件（静止画記録指示ｏｒ短時間動画記録指示）を受信しても、その時がインターバル撮影モードの実行における画像の取得・記録処理中であれば、記録することなく、指示を破棄する。
【００４７】
また、センサーユニット１０は、上記撮影要因のうち、ユーザによって予め設定された撮影要因が予め設定された所定の撮影条件に達し、リモートコントローラ２０との接続が確立した後、発生条件（撮影要因）と記録条件（静止画記録指示ｏｒ短時間動画記録指示）を、通信部１１を制御してリモートコントローラ２０に送信する。このとき、センサーユニット１０とリモートコントローラ２０との接続が確立するまでは、所定の時間（例えば、５秒程度）を要する。このため、センサーユニット１０とリモートコントローラ２０との接続が確立するまでの間に発生したシャッタートリガーは破棄する。
【００４８】
Ｂ．実施形態の動作
次に、上述した実施形態の動作について説明する。
【００４９】
図６は、本実施形態によるセンサーユニット１０の動作を説明するためのフローチャートである。センサーユニット１０は、無線通信（Ｂｌｕｅｔｏｏｔｈ（登録商標）や、ＷｉＦｉ（登録商標）などの無線ＬＡＮなど）を用いて、リモートコントローラ２０とペアリングを構築している。センサーユニット１０は、各種センサー１３（センシングデバイス）が動作中である。制御部１６は、まず、各種センサー１３により検出されたユーザの移動（動き）や、外部環境に関するセンサー情報を随時導出（演算）し、上記ＲＡＭ１４の所定の記憶領域に履歴・ログとして保存する（ステップＳ１０）。
【００５０】
次に、制御部１６は、順次記録したセンサー情報の履歴・ログからトリガー発生条件に一致するものがあるか否かを判断する（ステップＳ１２）。ここで、トリガー発生条件に一致するものがあるか否かとは、上記のセンサー情報が、ユーザによって予め設定された撮影要因に一致するものがあるか否かを判断することを意味する。そして、トリガー発生条件に一致しないものであると判断された場合には（ステップＳ１２のＮＯ）、制御部１６は、ステップＳ１０に戻り、センサー情報からセンサー情報を随時導出（演算）し、上記ＲＡＭ１４の所定の記憶領域に履歴・ログとして保存することを繰り返す。
【００５１】
一方、センサーユニット１０は、ユーザによって予め設定された撮影要因とセンサー情報とが一致、すなわち、トリガー発生条件に一致するものがあると判断した場合には（ステップＳ１２のＹＥＳ）、制御部１６は、ｓｎｉｆｆモードを解除する（ステップＳ１４）。このとき、制御部１６は、リモートコントローラ２０に対してｓｎｉｆｆモードの解除を通知する。次に、制御部１６は、発生条件（撮影要因）と記録条件（静止画記録指示ｏｒ短時間動画記録指示）とをシャッタートリガーとして、リモートコントローラ２０に送信する（ステップＳ１６）。
【００５２】
次に、制御部１６は、再び、記録したセンサー情報の履歴・ログからトリガー発生条件に一致するか否かを判断する（ステップＳ１８）。これは、上述したように、センサーユニット１０とリモートコントローラ２０との接続が確立するまでの間に（ｓｎｉｆｆモード開始指示から実際にｓｎｉｆｆモードに入るまでの時間）、再び、予め設定された撮影要因が所定の撮影条件に達したか否かを判断するためである。
【００５３】
そして、トリガー発生条件に一致しない場合には（ステップＳ１８のＮＯ）、ステップＳ１６に戻る。
【００５４】
一方、トリガー発生条件に一致した場合には（ステップＳ１８のＹＥＳ）、先（ここでいうステップＳ１６における）のシャッタートリガーに応答するリモートコントローラ２０から情報信号を受信したか否かを判断する（ステップＳ２０）。すなわち、リモートコントローラ２０から情報信号を受信した場合には、ステップＳ１４のｓｎｉｆｆモード解除に対して、リモートコントローラ２０がｓｎｉｆｆモードを解除したことによりステップＳ１６にて送信されたシャッタートリガーを受信したことを示し、一方、リモートコントローラ２０から情報信号を受信しない場合には、リモートコントローラ２０がｓｎｉｆｆモードを解除しておらず、ステップＳ１６にて送信されたシャッタートリガーの受信を検知していないことを示す。
【００５５】
したがって、先のシャッタートリガーに応答するリモートコントローラ２０から情報信号を受信していない場合には（ステップＳ２０のＮＯ）、リモートコントローラ２０でのｓｎｉｆｆモードが解除していないため、シャッタートリガーが短時間で連続すると記録指示が重複する可能性があるので、ステップＳ１８でのシャッタートリガー発生条件（撮影要因）と記録条件は破棄する（ステップＳ２２）。次に、制御部１６は、再度ｓｎｉｆｆモードの開始を指示する（ステップＳ２６）。その後、当該処理を終了し、図示しないメインルーチンに戻る。
【００５６】
一方、先のシャッタートリガーに応答するリモートコントローラ２０から情報信号を受信した場合には（ステップＳ２０のＹＥＳ）、ステップＳ１８でのトリガー発生条件の一致に対する、発生条件（撮影要因）と記録条件（静止画記録指示ｏｒ短時間動画記録指示）を、リモートコントローラ２０に送信する（ステップＳ２４）。次に、制御部１６は、ｓｎｉｆｆモードの開始を指示する（ステップＳ２６）。その後、当該処理を終了し、図示しないメインルーチンに戻る。
【００５７】
図７は、本実施形態によるリモートコントローラ２０の動作を説明するためのフローチャートである。リモートコントローラ２０は、無線通信（Ｂｌｕｅｔｏｏｔｈ（登録商標）や、ＷｉＦｉ（登録商標）などの無線ＬＡＮなど）を用いて、センサーユニット１０とペアリングを構築しており、マスターとしてｓｎｉｆｆモードで動作中である。
【００５８】
まず、制御部２６は、通信部２１を介して、センサーユニット１０からｓｎｉｆｆ解除信号を受信したか否かを判断する（ステップＳ３０）。そして、ｓｎｉｆｆ解除信号を受信していない場合には（ステップＳ３０のＮＯ）、制御部２６は、ステップＳ３０を繰り返し実行する。
【００５９】
一方、ｓｎｉｆｆ解除信号を受信した場合には（ステップＳ３０のＹＥＳ）、制御部２６は、ｓｎｉｆｆモードを解除する（ステップＳ３２）。次に、制御部２６は、センサーユニット１０から送信されてくる、発生条件（撮影要因）と記録条件（静止画記録指示ｏｒ短時間動画記録指示）をシャッタートリガーとして、通信部２１を介して受信する（ステップＳ３４）。
【００６０】
次に、制御部２６は、無線通信（Ｂｌｕｅｔｏｏｔｈ（登録商標）や、ＷｉＦｉ（登録商標）などの無線ＬＡＮなど）を用いて、センサーユニット１０からデジタルカメラ３０への接続に切り替える処理を実行する（ステップＳ３６）。デジタルカメラ３０への切り替えが完了すると、制御部２６は、シャッタートリガーとして、発生条件（撮影要因）、記録条件（静止画記録指示ｏｒ短時間動画記録指示）及び自動送信指示を、通信部２１を介してデジタルカメラ３０に送信する（ステップＳ３８）。
【００６１】
次に、制御部２６は、無線通信（Ｂｌｕｅｔｏｏｔｈ（登録商標）や、ＷｉＦｉ（登録商標）などの無線ＬＡＮなど）を用いて、デジタルカメラ３０からセンサーユニット１０への接続に切り替える処理を実行する（ステップＳ４０）。次に、制御部２６は、ｓｎｉｆｆモードを開始する（ステップＳ４２）。その後、当該処理を終了し、図示しないメインルーチンに戻る。
【００６２】
図８は、本実施形態によるデジタルカメラ３０の動作を説明するためのフローチャートである。デジタルカメラ３０は、無線通信（Ｂｌｕｅｔｏｏｔｈ（登録商標）や、ＷｉＦｉ（登録商標）などの無線ＬＡＮなど）を用いて、リモートコントローラ２０とペアリングを構築しているが、通信部３１は、ｓｎｉｆｆモードである。また、デジタルカメラ３０は、スレーブとしてインターバル撮影モードを実行中である。
【００６３】
まず、制御部３７は、通信部３１を介して、リモートコントローラ２０からｓｎｉｆｆ解除信号を受信したか否かを判断する（ステップＳ５０）。そして、ｓｎｉｆｆ解除信号を受信していない場合には（ステップＳ５０のＮＯ）、制御部３７は、ステップＳ５０を繰り返し実行する。
【００６４】
一方、ｓｎｉｆｆ解除信号を受信した場合には（ステップＳ５０のＹＥＳ）、制御部３７は、ｓｎｉｆｆモードを解除する（ステップＳ５２）。次に、制御部３７は、ｓｎｉｆｆモードの解除から所定の時間内にリモートコントローラ２０からのシャッタートリガー（発生条件（撮影要因）、記録条件（静止画記録指示ｏｒ短時間動画記録指示）及び自動送信指示）を受信したか否かを判断する（ステップＳ５４）。そして、所定の時間内にシャッタートリガーを受信しない場合には（ステップＳ５４のＮＯ）、制御部３７は、再び、ｓｎｉｆｆモードを開始し（ステップＳ６４）、インターバル撮影モードが終了したか否可を判断する（ステップＳ６６）。そして、インターバル撮影モードが終了していない場合には（ステップＳ６６のＮＯ）、ステップＳ５０に戻り、上述した処理を繰り返す。
【００６５】
一方、所定の時間内に上記のシャッタートリガーを受信した場合には（ステップＳ５４のＹＥＳ）、制御部３７は、現在、インターバル撮影モードによる記録処理中であるか否かを判断する（ステップＳ５６）。そして、インターバル撮影モードによる記録処理中でない場合には（ステップＳ５６のＮＯ）、制御部３７は、リモートコントローラ２０からの記録条件（静止画記録指示ｏｒ短時間動画記録指示）に従って、静止画ｏｒ短時間動画を記録する（ステップＳ５８）。次に、制御部３７は、発生条件（撮影要因のコード）をＥＸＩＦに書き込み、記録された画像ファイルを未送信画像として記憶管理する（ステップＳ６０）。
【００６６】
次に、制御部３７は、再び、ｓｎｉｆｆモードを開始し（ステップＳ６４）、インターバル撮影モードが終了したか否可を判断する（ステップＳ６６）。そして、インターバル撮影モードが終了していない場合には（ステップＳ６６のＮＯ）、ステップＳ５０に戻り、上述した処理を繰り返す。
【００６７】
一方、インターバル撮影モードでの記録処理中である場合には（ステップＳ５６のＹＥＳ）、今回のシャッタートリガーでの記録を実行せず、この指示を破棄する（ステップＳ６２）。次に、制御部３７は、再び、ｓｎｉｆｆモードを開始し（ステップＳ６４）、インターバル撮影モードが終了したか否可を判断する（ステップＳ６６）。そして、インターバル撮影モードが終了していない場合には（ステップＳ６６のＮＯ）、ステップＳ５０に戻り、上述した処理を繰り返す。
【００６８】
そして、インターバル撮影モードが終了した場合には（ステップＳ６６のＹＥＳ）、未送信画像を携帯無線通信機器４０に一斉送信する（ステップＳ６８）。より具体的には、制御部３７は、インターバル撮影モード終了後、Ｄｅｅｐｓｌｅｅｐモードに移行する直前に、未送信画像の画像ファイルを一斉送信する。但し、インターバル撮影モードによる記録指示に起因して記録された画像ファイルは転送しない。なお、本実施の形態では、インターバル撮影モードの終了を契機に未送信画像の画像ファイルを一斉送信するようにしたが、このタイミングに限らず、発生条件（撮影要因）に起因して記録された画像を、記録する度に自動送信するようにしてもよい。
【００６９】
なお、デジタルカメラ３０は、例えば、ＢＬＥ（Ｂｌｕｅｔｏｏｔｈ（登録商標）  ｌｏｗ  Ｅｎｅｒｇｙ）で携帯無線通信機器４０に専用アプリケーションを立ち上げ、ＷｉＦｉ（登録商標）接続を指示し、スマートフォンとＷｉＦｉ（登録商標）接続されると、未送信画像を一斉に携帯通信端末に送信するようにする。
【００７０】
上述した実施形態によれば、デジタルカメラ３０は、インターバル撮影モード中に、リモートコントローラ２０を介して、センサーユニット１０からシャッタートリガーを受信すると、インターバル撮影モードの実行を維持した状態で、撮像部３３による記録を実行し、撮影画像を所定のタイミングで携帯無線通信機器４０に送信するようにしたので、インターバル撮影モードの実行を継続しつつ、他の条件により発生するシャッタートリガーによる画像の送信・確認処理において利便性を向上させることができる。
【００７１】
上述した実施形態によれば、デジタルカメラ３０は、インターバル撮影モードによる記録指示とは異なる任意のタイミングで受信したシャッタートリガーに応じて、記録した画像に基づく画像ファイルを未送信画像として記録管理し、前記インターバル撮影モードの終了時に、未送信画像を携帯無線通信機器４０に送信するようにしたので、インターバル撮影モードの実行を継続しつつ、画像の送信・確認処理において利便性を向上させることができる。
【００７２】
上述した実施形態によれば、デジタルカメラ３０は、センサーユニット１０から撮影要因に基づくシャッタートリガーを受信するようにしたので、ユーザは意識して記録指示操作をすることがない。したがって画像の記録・送信・確認処理において利便性を向上させることができる。
【００７３】
以上、この発明のいくつかの実施形態について説明したが、この発明は、これらに限定されるものではなく、特許請求の範囲に記載された発明とその均等の範囲を含むものである。
以下に、本願出願の特許請求の範囲に記載された発明を付記する。
【００７４】
（付記１）
付記１に記載の発明は、撮像手段から出力される所定の時間間隔の画像の記録動作を行わせる記録モードで動作中に、前記所定の時間間隔以外のタイミングで記録指示信号を検出すると、当該記録モードを維持した状態で前記所定の時間間隔以外のタイミングの画像の記録動作を行わせるよう制御する制御手段と、前記記録モードによって記録された画像は自動的に送信することなく、前記制御手段によって記録された画像を自動的に当該装置外部へ送信するよう制御する自動送信制御手段と、を備えることを特徴とする画像送信制御装置である。
【００７５】
（付記２）
付記２に記載の発明は、前記制御手段は、前記所定の時間間隔以外のタイミングで前記記録指示信号を検出することにより記録された画像に当該装置外部への送信を指示する情報を対応付け、前記自動送信制御手段は、前記記録モードでの動作中でないタイミングで、前記情報が対応付けられた画像を自動的に送信する、ことを特徴とする付記１に記載の画像送信制御装置である。
【００７６】
（付記３）
付記３に記載の発明は、前記記録指示信号は、当該装置外部から無線により受信される、ことを特徴とする付記１に記載の画像送信制御装置である。
【００７７】
（付記４）
付記４に記載の発明は、前記所定の時間間隔以外のタイミングには、外部環境を取得する外部装置によって取得された外部環境が特定の条件を満たした時点が含まれ、前記記録指示信号は、前記外部装置から送信されることを特徴とする付記１に記載の画像送信制御装置である。
【００７８】
（付記５）
付記５に記載の発明は、前記記録指示信号は、前記特定の条件を含むことを特徴とする付記４に記載の画像送信制御装置である。
【００７９】
（付記６）
付記６に記載の発明は、撮像装置と外部装置とから構成される画像送信システムであって、前記外部装置は、外部環境が特定の条件を満たす場合に出力される記録指示信号を入力する入力手段と、前記撮像装置から出力される所定の時間間隔の画像の記録動作を行わせる記録モードで動作中に、前記所定の時間間隔以外のタイミングで前記入力手段による記録指示信号の入力を検出すると、当該記録モードを維持した状態で前記所定の時間間隔以外のタイミングの画像の記録動作を行わせるよう制御する制御手段と、前記記録モードによって記録された画像は自動的に送信することなく、前記制御手段によって記録された画像を自動的に当該装置外部へ送信するよう制御する自動送信制御手段と、を備えることを特徴とする画像送信システムである。
【００８０】
（付記７）
付記７に記載の発明は、前記制御手段は、前記所定の時間間隔以外のタイミングで前記記録指示信号の入力を検出することにより記録された画像に、当該装置外部への送信を指示する情報を対応付け、前記自動送信制御手段は、前記記録モードでの動作中でないタイミングで、前記情報が対応付けられた画像を送信する、ことを特徴とする付記６に記載の画像送信システムである。
【００８１】
（付記８）
付記８に記載の発明は、前記記録指示信号は、前記特定の条件を含む、ことを特徴とする付記６に記載の画像送信システムである。
【００８２】
（付記９）
付記９に記載の発明は、撮像手段に対し所定の時間間隔で記録動作を行わせる記録モードで動作中に、前記所定の時間間隔以外のタイミングで記録指示信号を検出すると、当該記録モードを維持した状態で前記所定の時間間隔以外のタイミングの画像の記録動作を行わせるよう制御する制御ステップと、前記記録モードによって記録された画像は自動的に送信することなく、前記制御ステップにて記録された画像を自動的に当該装置外部へ送信するよう制御する自動送信制御ステップと、を含むことを特徴とする画像送信制御方法である。
【００８３】
（付記１０）
付記１０に記載の発明は、コンピュータを、撮像装置に対し所定の時間間隔で記録動作を行わせる記録モードで動作中に、前記所定の時間間隔以外のタイミングで記録指示信号を検出すると、当該記録モードを維持した状態で前記所定の時間間隔以外のタイミングの画像の記録動作を行わせるよう制御する制御機能、前記記録モードによって記録された画像は自動的に送信することなく、前記制御機能によって記録された画像を自動的に当該装置外部へ送信するよう制御する自動送信制御機能、として実現させるためのプログラムである。
【符号の説明】
【００８４】
１０  センサーユニット
１１  通信部
１２  ＲＯＭ
１３  各種センサー
１４  ＲＡＭ
１４１  接続情報メモリ
１４２  センサー情報メモリ
１４３  撮影要因情報メモリ
１５  操作部
１６  制御部
２０  リモートコントローラ
２１  通信部
２２  ＲＯＭ
２３  ＲＡＭ
２４  表示部
２５  操作部（タッチパネル）
２６  制御部
３０  デジタルカメラ
３１  通信部
３２  操作部
３３  撮像部
３４  ＲＯＭ
３５  ＲＡＭ
３６  記録媒体
３７  制御部
４０  携帯無線通信機器（スマートフォン）
【図１】
2018207459.tif 000003
【図２】
2018207459.tif 000004
【図３】
2018207459.tif 000005
【図４】
2018207459.tif 000006
【図５】
2018207459.tif 000007
【図６】
2018207459.tif 000008
【図７】
2018207459.tif 000009
【図８】
2018207459.tif 000010